(57)【特許請求の範囲】
【請求項１】
情報記憶媒体を収納した情報記憶媒体収納体において、
表シートと、
裏シートと、
前記表シートと裏シートの間に位置し、情報記憶媒体を収納した情報記憶媒体収納部を有する情報記憶媒体収納板と、
前記表シートと裏シートの間に位置し、冊子体を収納した冊子体収納部を有する冊子体収納板とを有し、
前記情報記憶媒体収納板と積層される表シート又は裏シートには、情報記憶媒体取出用切込線が設けられ、該情報記憶媒体取出用切込線を切断又は破断することで該表シート又は裏シート側より情報記憶媒体を取り出し可能であると共に、
前記冊子体収納板と積層される表シート又は裏シートには、冊子体取出用切込線が設けられ、該冊子体取出用切込線を切断又は破断することで該表シート又は裏シート側より冊子体を取り出し可能であことを特徴とする情報記憶媒体収納体。
【請求項２】
前記冊子体取出用切込線は、情報記憶媒体収納体の下辺側にだけは設けられていないことを特徴とする請求項１記載の情報記憶媒体収納体。
【請求項３】
前記情報記憶媒体収納体は、表シート、情報記憶媒体収納板、冊子体収納板、裏シートの順に、又は、表シート、冊子体収納板、情報記憶媒体収納板、裏シートの順に積層・貼着して構成されていることを特徴とする請求項１又は２記載の情報記憶媒体収納体。
【請求項４】
請求項１乃至請求項３の何れか記載の情報記憶媒体収納体を綴じた綴り体。
【発明の詳細な説明】
【０００１】
【発明の属する技術分野】
本願発明は情報記憶媒体を収納した情報記憶媒体収納体及びその綴り体に関し、更に詳細には、薄板型情報記憶媒体を収納した情報記憶媒体収納体及びその綴り体に関する。
【０００２】
【従来の技術】
従来よりＦＤ、ＣＤ等に代表される薄板型情報記憶媒体を収納する場合、例えばＣＤ収納用凹部を有する本体と、この本体に開閉可能に連結された蓋体とからなる透明なプラスチックケースが一般に用いられている。しかしながら、ＣＤ等は、近年、パンフレットと共に頒布、販売されたり、月刊誌、週刊誌等に添付されて店頭に陳列しつつ頒布、販売されたりする等、その流通形態が種々の分野に拡大されつつある。そのため、従来のプラスチックケースでは、例えばＣＤをパンフレットと共に頒布するような場合には、ケースがかさばって取り扱いが面倒になり、また、ＣＤを月刊誌、週刊誌等に添付する場合には、従来の製本ラインとは別に、ケースを本に貼着するための特別な工程が必要となり、製本工程が複雑化し、コストが上昇するという課題が生じ、しかもプラスチックケース自体の厚みで本自体がかさばるという課題があった。
【発明が解決しようとする課題】
【０００３】
そこで、これらの課題を解決するために、出願人は平成７年特許願第１４５６６１号や平成８年特許願第１７７８８５号で新たな情報記憶媒体収納体を提案した。しかしながら、これらの情報記憶媒体収納体には冊子体を添付できないという課題があった。すなわち、これらの情報記憶媒体収納体は、情報記憶媒体を収納する情報記憶媒体収納部は設けてあり、情報記憶媒体以外に葉書等の極めて薄い紙葉を収納することが可能であるが、ある程度の厚みを有する冊子体等を収納することは困難という課題を有していた。この課題は情報記憶媒体に記憶される情報によっては特に重要で、すなわち、情報記憶媒体を操作する際に片手で簡単に持つことの可能な冊子体があると使用者にとって極めて便利という効果を有している。
【０００４】
しかしながら、情報記憶媒体収納体をパンフレット形態で流通させる場合には冊子体を添付するには、パンフレット形態の情報記憶媒体収納体をビニール袋等の袋体に収納すると同時に冊子体を袋体に収納するか、貼着するという方法を採用することとなり、その場合はコストの向上、外観の劣悪化、全体の厚みの不均一による輸送安定性の低下という課題を有していた。
【０００５】
また、情報記憶媒体収納体をパンフレット形態で流通させる場合に、パンフレットの頁の一部を折り返すことで袋部分を形成し、そこに冊子体を収納するという方法があるが、その場合も、外観の劣悪化という課題については若干の向上があるが、コストの向上、全体の厚みの不均一による輸送安定性の低下という課題は解決されないままであった。
【０００６】
尚、平成８年特許願第１７７８８５号の図７（ロ）に、パンフレット形態の情報記憶媒体収納体に、ほぼパンフレットと同じ大きさの冊子体を貼着して綴り体とする実施の形態を記載しているが、この場合の冊子体は大きさが大きいため、情報記憶媒体を操作する際に片手で簡単に持つことの可能な冊子体を添付するという課題は解決されていない。
【０００７】
同様に、情報記憶媒体収納体を綴り体として流通させる場合において、情報記憶媒体を操作する際に片手で簡単に持つことの可能な冊子体を添付するためには、ブックインブックと一般に言われる冊子添付方法が採用されることとなるが、その場合は何れの公知技術を用いても、情報記憶媒体収納体を綴る以外に、独立して冊子体を綴ることとなり、コストの向上という課題を有していた。更に、外観の劣悪化、全体の厚みの不均一による輸送安定性の低下という課題を有していた。
【０００８】
本願発明はかかる課題に鑑みなされたものであって、本願発明の課題となるところは、使用者が情報記憶媒体を操作する際に片手で簡単に持つことの可能な冊子体を添付するとともに、コストの向上、外観の劣悪化、全体の厚みの不均一による輸送安定性の低下という課題を解決した情報記憶媒体収納体及びその綴り体を提供することにある。
【課題を解決するための手段】
【０００９】
前記課題を解決するために、本願発明の請求項１では、情報記憶媒体を収納した情報記憶媒体収納体において、表シートと、裏シートと、前記表シートと裏シートの間に位置し、情報記憶媒体を収納した情報記憶媒体収納部を有する情報記憶媒体収納板と、前記表シートと裏シートの間に位置し、冊子体を収納した冊子体収納部を有する冊子体収納板とを有し、前記情報記憶媒体収納板と積層される表シート又は裏シートには、情報記憶媒体取出用切込線が設けられ、該情報記憶媒体取出用切込線を切断又は破断することで該表シート又は裏シート側より情報記憶媒体を取り出し可能であると共に、前記冊子体収納板と積層される表シート又は裏シートには、冊子体取出用切込線が設けられ、該冊子体取出用切込線を切断又は破断することで該表シート又は裏シート側より冊子体を取り出し可能であることを特徴としている。
【００１０】
すなわち、本願発明の請求項１によれば、情報記憶媒体収納体自体に冊子体を収納した冊子体収納部を設けているため、情報記憶媒体を情報記憶媒体収納部に収納する作業と同時に、冊子体を冊子体収納部に収納することができ、作業工程が増加することは無くコスト増加要因は材料費だけとなるため、コストの向上を最低限度とすることが可能である。また、情報記憶媒体収納体自体に冊子体を収納した冊子体収納部を設けているため、外観の美観を向上させることが可能である。更に、情報記憶媒体収納体自体に冊子体を収納した冊子体収納部を設けているため、情報記憶媒体収納体の厚みは均一であり、輸送安定性を向上させることが可能である。
【００１１】
ここで、情報記憶媒体とは、薄板状の情報記憶媒体であれば例えばＦＤ（フレキシブルディスク）、ＭＯ等でも良いが、主に薄板円盤状情報記憶媒体であることが多く、例えばＣＤ等に含まれる音楽ＣＤ、ＣＤ-ＲＯＭ、ＣＤ-Ｇ、ＣＤ-Ｉ、ＣＤＶ、フォトＣＤ、カラオケＣＤ、ビデオＣＤ、ＣＤ-ＩＤＶ、ＬＤ、ＤＶＤ等がある。
【００１２】
特に、請求項１では、情報記憶媒体収納部を有する情報記憶媒体収納板と、冊子体収納部を有する冊子体収納板とを独立させているため、情報記憶媒体収納部は情報記憶媒体に適切な大きさ、冊子体収納部は冊子体に適切な大きさとすることができ、余分なスペースによる冊子体の変形を防止することが可能となる。つまり、情報記憶媒体と冊子体を一つの収納部に収納する形態を採用した場合、その収納部の厚みは情報記憶媒体と冊子体の厚みを合わせた厚みとなるが、情報記憶媒体と冊子体の大きさが異なる場合、余分なスペースが発生してしまう。そして、往々にして冊子体の大きさが情報記憶媒体より大きいため、余分なスペースに該当する冊子体の部分が広がり、時として湿気を含むことで、しわが発生するなどの外観不良が発生するという課題があり、請求項１の形態ではこの課題を解決することが可能となる。
【００１３】
また、冊子体収納部を有する冊子体収納板を表シートと裏シートの間に位置させているため、表シートと裏シートで冊子体を挟むことで冊子体を保持すると同時に、冊子体収納板は打ち抜き加工で製作することができ、材料費を削減することが可能である。更に、情報記憶媒体収納板と積層される表シート又は裏シートには、情報記憶媒体取出用切込線が設けられているので、該情報記憶媒体取出用切込線に沿って表シート又は裏シートを切断又は破断するこによって、該表シート又は裏シート側より情報記憶媒体を取り出すことが可能であると共に、冊子体収納板と積層される表シート又は裏シートには、冊子体取出用切込線が設けられているので、該冊子体取出用切込線に沿って表シート又は裏シートを切断又は破断することによって、該表シート又は裏シート側より冊子体を取り出すことが可能である。
【００１４】
尚、本願発明の請求項１において、情報記憶媒体収納板と冊子体収納板の位置関係は自由に選択して良い。すなわち、表シート、情報記憶媒体収納板、冊子体収納板、裏シートの順に積層しても良く、また、表シート、冊子体収納板、情報記憶媒体収納板、裏シートの順に積層しても良く、更に、表シートと裏シートを逆転させても良く、更にまた、その積層順の間に他のシート又は板等を位置させて積層しても良い。例えば、情報記憶媒体収納板と冊子体収納板の間にしきり用のシート等を位置させても良い。
【００１５】
また、本願発明の請求項２では、前記冊子体取出用切込線は、情報記憶媒体収納体の下辺側にだけは設けられていないことを特徴としている。
【００１６】
すなわち、本願発明の請求項２によれば、冊子体収納板と積層される表シート又は裏シートに設けられる冊子体取出用切込線が、情報記憶媒体収納体の下辺側にだけは設けられていないので、冊子体収納部に収納された冊子体が重力により下側に寄ることを利用し、冊子体取出用切込線をカッター等刃物で切断しても冊子体が傷つくことを防止することが可能である。
【００１７】
また、本願発明の請求項３では、前記情報記憶媒体収納体は、表シート、情報記憶媒体収納板、冊子体収納板、裏シートの順に、又は、表シート、冊子体収納板、情報記憶媒体収納板、裏シートの順に積層・貼着して構成されていることを特徴としている。
【００１８】
すなわち、本願発明の請求項３によれば、情報記憶媒体収納体自体に冊子体を収納した冊子体収納部を設けているため、情報記憶媒体を情報記憶媒体収納部に収納する作業と同時に、冊子体を冊子体収納部に収納することができ、作業工程が増加することは無くコスト増加要因は材料費だけとなるため、コストの向上を最低限度とすることが可能である。また、情報記憶媒体収納体自体に冊子体を収納した冊子体収納部を設けているため、外観の美観を向上させることが可能である。更に、情報記憶媒体収納体自体に冊子体を収納した冊子体収納部を設けているため、情報記憶媒体収納体の厚みは均一であり、輸送安定性を向上させることが可能である。
【００１９】
特に、請求項３では、情報記憶媒体収納部を有する情報記憶媒体収納板と、冊子体収納部を有する冊子体収納板とを独立させているため、情報記憶媒体収納部は情報記憶媒体に適切な大きさ、冊子体収納部は冊子体に適切な大きさとすることができ、余分なスペースによる冊子体の変形を防止することが可能となる。つまり、請求項１に包含される形態である情報記憶媒体と冊子体を一つの収納部に収納する形態を採用した場合、その収納部の厚みは情報記憶媒体と冊子体の厚みを合わせた厚みとなるが、情報記憶媒体と冊子体の大きさが異なる場合、余分なスペースが発生してしまう。そして、往々にして冊子体の大きさが情報記憶媒体より大きいため、余分なスペースに該当する冊子体の部分が広がり、時として湿気を含むことで、しわが発生するなどの外観不良が発生するという課題があり、請求項３の形態ではこの課題を解決することが可能となる。
【００２０】
また、冊子体収納部を有する冊子体収納板を表シートと裏シートの間に位置させているため、表シートと裏シートで冊子体を挟むことで冊子体を保持すると同時に、冊子体収納板は打ち抜き加工で製作することができ、材料費を削減することが可能である。
【００２１】
尚、本願発明の請求項３において、情報記憶媒体収納板と冊子体収納板の位置関係は自由に選択して良い。すなわち、表シート、情報記憶媒体収納板、冊子体収納板、裏シートの順に積層しても良く、また、表シート、冊子体収納板、情報記憶媒体収納板、裏シートの順に積層しても良く、更に、表シートと裏シートを逆転させても良く、更にまた、その積層順の間に他のシート又は板等を位置させて積層しても良い。例えば、情報記憶媒体収納板と冊子体収納板の間にしきり用のシート等を位置させても良い。
【００２２】
また、本願発明の請求項４では、請求項１乃至請求項３の何れか記載の情報記憶媒体収納体を綴じた綴り体であることを特徴としている。すなわち、本願発明の請求項４によれば、週刊誌、月刊誌、書籍等の綴り体において、情報記憶媒体収納体に収納された冊子体は、袋綴じ本としての機能を有し、その中身に対する興味を喚起することで、使用者の購買意欲を向上させることが可能である。
【００２３】
【発明の実施の形態】
以下、本願発明の実施の形態を図面に従って説明する。
図１は、本願発明の情報記憶媒体収納体を示す概略図である。
図１において、１は情報記憶媒体収納体、２は表シート、３は情報記憶媒体収納板、４は冊子体収納板、５は裏シート、６は情報記憶媒体を収納した情報記憶媒体収納袋、７は冊子体、８は情報記憶媒体用開口部、９は情報記憶媒体取出用切込線、１０は切断線、１１は情報記憶媒体、１２は収納袋、１３は情報記憶媒体収納部、１４は情報記憶媒体収納部内枠線部、１５は切断線、１６は冊子体収納部、１７は冊子体収納部内枠線部、１８は切断線、１９は冊子体用開口部、２０は冊子体取出用切込線である。
【００２４】
図１において、情報記憶媒体収納体１は、表シート２、情報記憶媒体収納板３、冊子体収納板４及び裏シート５を矢印Ｃ方向に積層・貼着して構成されており、情報記憶媒体収納板３に設けられている情報記憶媒体収納部１３には情報記憶媒体収納袋６が矢印Ａ方向に従って収納され、冊子体収納板４に設けられている冊子体収納部１６には冊子体７が矢印Ｂに従って収納されている。
【００２５】
表シート２には情報記憶媒体用開口部８と情報記憶媒体取出用切込線９が設けられており、情報記憶媒体用開口部８を通じて収納された情報記憶媒体を確認することができ、情報記憶媒体取出用切込線９を破断することで表シート側より情報記憶媒体収納袋６を取り出すことができる。本実施の形態では情報記憶媒体用開口部８は円形を採用しているがこれに限定する必要は無く、例えば楕円、四角、三角等任意の形状を採用可能であり、また、情報記憶媒体用開口部８自体を設け無くても良い。本実施の形態では情報記憶媒体取出用切込線９としてミシン目を採用しているがこれに限定する必要は無く、例えば、印刷を行なうだけとしても良い。本実施の形態では情報記憶媒体取出用切込線９を凸突起を有するコの字型として凸突起を押すことで該当ミシン目部分が破断する形状としているが、これに限定する必要は無く、例えば、楕円、四角、三角等任意の形状を採用可能である。
【００２６】
情報記憶媒体収納板３には打ち抜き加工で情報記憶媒体収納部１３が設けられており、情報記憶媒体収納部内枠線部１４は情報記憶媒体収納袋６が収納可能な大きさに設定されている。本実施の形態では情報記憶媒体収納部１３は凸突起を有する四角の形態を採用し、該凸突起を前記情報記憶媒体取出用切込線９の凸突起より大きくすることで空間を作り、情報記憶媒体取出用切込線９の凸突起を押すことで該当ミシン目部分が破断する形状を採用しているが、これに限定する必要は無く、例えば、楕円、四角、三角等任意の形状を採用可能である。
【００２７】
冊子体収納板４には打ち抜き加工で冊子体収納部１６が設けられており、冊子体収納部内枠線部１７は冊子体７が収納可能な大きさに設定されている。本実施の形態では冊子体収納部１６に四角の形状を採用しているが、これに限定する必要は無く、例えば、楕円、四角、三角等任意の形状を採用可能である。ただし、冊子体の保護を考慮した場合、冊子体の形状と略同一形状とすることが好ましく、例えば、前記情報記憶媒体収納部１３の凸突起と同様の程度の相違の範囲とした方が好ましい。
【００２８】
裏シート５には冊子体用開口部１９と冊子体取出用切込線２０が設けられており、冊子体用開口部１９を通じて収納された冊子体を確認することができ、冊子体取出用切込線２０を破断することで裏シート側より冊子体７を取り出すことができる。本実施の形態では冊子体用開口部１９は三角形を採用しているがこれに限定する必要は無く、例えば円、楕円、四角等任意の形状を採用可能であり、また、冊子体用開口部１９自体を設け無くても良い。本実施の形態では冊子体取出用切込線２０としてミシン目を採用しているがこれに限定する必要は無く、例えば、印刷を行なうだけとしても良い。本実施の形態では冊子体取出用切込線２０に鉤状を採用しているがこれに限定する必要は無く、例えば、楕円、四角、三角等任意の形状を採用可能である。また、冊子体収納部１６の形状に凸突起を採用した場合には、表シート２と同様に凸突起を設けても良い。
【００２９】
本実施の形態において、切断線１０、切断線１５、切断線１８は情報記憶媒体収納体１を後述する綴り体に綴った場合に、綴り体を開き易くするために必要な切断線であり、情報記憶媒体収納体１をパンフレット状で流通させる場合等には必ずしも必要なものではない。切断線１０、切断線１５、切断線１８は情報記憶媒体収納体１を積層・貼着後に切り込み加工を施すことで一度に形成され、その際は裏シート５は切断されず、綴り体とした場合の背部分と連接した状態を維持することとなる。
【００３０】
ここで、表シート２及び裏シート５の材料としては、紙、薄板状プラスチックがあり、破断可能な加工が施せるものであれば何れの材料でも良いが、主に板紙が採用されている。その板紙の重量は１メートル平方当たり１６０ｇから６００ｇの間が使用可能であるが、好ましくは２７０ｇから４５０ｇの間が良い。これは、情報記憶媒体や冊子体の保護を行なうには２７０ｇ以下の重量であると薄過ぎ、４５０ｇ以上であると、厚すぎて通常のオフセット印刷機では印刷が困難で板紙専用印刷機を使用する必要があり生産効率の低下を招くためである。無論、表シート２及び裏シート５の外側面に印刷を施さなくても良いが、通常は収納している情報記憶媒体に関連する情報が印刷されている。尚、後述する情報記憶媒体収納板３及び冊子体収納板４の材料である段ボールを選択しても良い。
【００３１】
またここで、情報記憶媒体収納板３及び冊子体収納板４の材料としては、紙、薄板状プラスチックがあり、打ち抜き加工が施せるものであれば何れの材料でも良いが、主に段ボールが採用されている。段ボールとしてはＡ段（厚さ約５ｍｍ）、Ｂ段（厚さ約３ｍｍ）、Ｃ段（厚さ約４ｍｍ）、５号段（厚さ約２．５ｍｍ）、Ｅ段（厚さ約２ｍｍ）、ミニ段（厚さ約１．５ｍｍ）等があり、情報記憶媒体及び冊子体の厚さに応じて適当なものが選択可能である。無論、表シート２及び裏シート５と同様に板紙を採用しても良く、その場合は、保護及び印刷の制限が無いため適当な厚さのものを選択して良い。つまり、本実施の形態において、情報記憶媒体収納板３は、情報記憶媒体取出用切込線９を凸突起を有するコの字型として凸突起を押すことで該当ミシン目部分が破断する構成を採用したため、一定の厚さが必要であり、そのため段ボールを材料としたが、別の構成を採用した場合には段ボールを使用して厚さを用意する必然性が無くなるため、情報記憶媒体収納袋６の厚みに対応した板紙を採用しても良い。
【００３２】
本実施の形態において、収納袋１２の材料としては、紙、布、プラスチック何れの材料を選択しても良いが、本実施の形態では不織布に透明ビニールを貼着した袋を採用している。これは、情報記憶媒体用開口部８より情報記憶媒体を見せるために透明ビニールが、情報記憶媒体裏面の情報記載面を保護するために不織布が好ましいからであるが、これに限定する必要は無く、紙、布、プラスチックを適宣に組合せて袋状にしても良く、無論、同種の材料同士で袋状としても良い。尚、前述の様に情報記憶媒体収納板３の厚さは情報記憶媒体収納袋６の厚さより十分に厚い場合には、情報記憶媒体収納袋６を表シート２にセロファンテープ等で固定しても良い。
【００３３】
本実施の形態において、冊子体７は印刷が施された通常の紙を綴じたものであって、無線綴じ、中綴じ等公知の綴じ方のものが採用される。ただし、冊子体収納部の内部で冊子体が動くのを防止するためには多少のクッション性のある綴じ方が好ましく、週刊誌等で採用されている中綴じ製本形態が最も好ましい。
【００３４】
図２は、図１の線分Ａ-Ａによる情報記憶媒体収納体の断面図である。
図２において、３１は情報記憶媒体収納体、３２は表シート、３３は情報記憶媒体収納板、３４は冊子体収納板、３５は裏シート、３６は情報記憶媒体を収納した情報記憶媒体収納袋、３７は冊子体、３８は情報記憶媒体用開口部、３９は情報記憶媒体取出用切込線、４１は情報記憶媒体、４２は収納袋、４３は情報記憶媒体収納部、４４は情報記憶媒体収納部内枠線部、４６は冊子体収納部、４７は冊子体収納部内枠線部、４９は冊子体用開口部、５０は冊子体取出用切込線、５１は情報記憶媒体収納部４３の凸突起部分である。
【００３５】
図２において、情報記憶媒体収納体３１は、表シート３２、情報記憶媒体収納板３３、冊子体収納板３４及び裏シート３５を積層・貼着して構成されており、情報記憶媒体収納体３３に設けられている情報記憶媒体収納部４３には情報記憶媒体収納袋３６が収納され、冊子体収納板３４に設けられている冊子体収納部４４には冊子体３７が収納されている。
【００３６】
表シート３２には情報記憶媒体用開口部３８と情報記憶媒体取出用切込線３９が設けられており、情報記憶媒体用開口部３８を通じて収納された情報記憶媒体を確認することができ、情報記憶媒体取出用切込線３９を破断することで表シート側より情報記憶媒体収納袋３６を取り出すことができる。本実施の形態では情報記憶媒体取出用切込線３９は凸突起部分５１の略中央部に位置しており、押すことで情報記憶媒体取出用切込線３９の凸突起該当部分を破断することが可能である。
【００３７】
情報記憶媒体収納板３３には打ち抜き加工で情報記憶媒体収納部４３が設けられており、情報記憶媒体収納部内枠線部４４は情報記憶媒体収納袋３６が収納可能な大きさに設定されている。本実施の形態では情報記憶媒体収納部４３は凸突起部分５１を有する四角の形態を採用している。情報記憶媒体収納袋３６は２枚のシートを貼着した収納袋４２の内側に情報記憶媒体４１を収納しており、収納袋４２はセロファンテープ又は接着剤等図示しない接着手段で表シート３２に貼着されている。
【００３８】
冊子体収納板３４には打ち抜き加工で冊子体収納部４６が設けられており、冊子体収納部内枠線部４７は冊子体３７が収納可能な大きさに設定されている。尚、図２において冊子体３７は空中に浮かんでいる如く記載しているが、これは図面を見やすくするためで、実際は、冊子体３７は情報記憶媒体収納部３３と裏シート３５に接触し、自らのクッション性で押圧固定している。
【００３９】
裏シート３５には冊子体用開口部４９と冊子体取出用切込線５０が設けられており、冊子体用開口部４９を通じて収納された冊子体を確認することができ、冊子体取出用切込線５０を破断することで裏シート側より冊子体３７を取り出すことができる。
【００４０】
本実施の形態において、冊子体取出用切込線５０の位置は、冊子体収納部内枠線部４７と対応する位置、すなわち、冊子体３７と冊子体収納部内枠線部４７の間であって冊子体収納部内枠線部４７と略同一の位置に設けてあり、冊子体取出用切込線５０をカッター等刃物で切断しても冊子体が傷つくことは無い。
【００４１】
本実施の形態においては、冊子体３７はクッション性を有する中綴じ製本形態を採用しているため、冊子体３７と冊子体収納部内枠線部４７の間に一定の空間を作ることが可能であり、その空間と対応する位置に冊子体取出用切込線５０を位置させることで、カッター等刃物による冊子体の損傷を防止している。ただし本館発明はこれに限定するものでは無い。例えば、クッション性の無い綴じ形態による冊子体を収納する場合、冊子体が重力により下側に寄ることを利用し、冊子体取出用切込線５０を情報記憶媒体収納体３１の矢印Ｄで示す下辺側にだけは設けないようにすれば、同様にカッター等刃物で切断しても冊子体が傷つくこと防止することが可能である。無論、クッション性のある中綴じ形式の冊子体を使用する場合も、冊子体取出用切込線５０を情報記憶媒体収納体３１の下辺側にだけは設けないようにすることが好ましい。
【００４２】
図３は、図１の線分Ａ-Ａによる情報記憶媒体収納体の断面図である。
図３において、図２と同じ番号を付した部分は同じ構造を有しているため説明を省略し、５２は冊子体取出用切込線、５３は張出部分である。
【００４３】
本実施の形態において、冊子体取出用切込線５２の位置は、冊子体収納部内枠線部４７よりも冊子体側となる位置、すなわち、冊子体３７と重なる位置に設けてあり、一旦冊子体３７を取り出した後、再度、冊子体３７を冊子体収納部４６に入れても張出部分５３により冊子体を保持することが可能である。従って、情報記憶媒体収納部や綴り体の状態で情報記憶媒体と冊子体を保存しようとする場合において、冊子体が脱落しにくくより保存に適することとなる。また、その場合において冊子体がクッション性を有する中綴じ形態であれば、より脱落を防止可能となり好ましい。ただし、冊子体取出用切込線５０をカッター等刃物で切断しすると冊子体が傷つく場合があるため、冊子体取出用切込線５２はミシン目等手で破断可能としておくのが好ましい。
【００４４】
図４は、本願発明のパンフレット状の情報記憶媒体収納体を示す概略図である。
図４において、５４は情報記憶媒体収納体、５５は裏シート、５６は背表紙、５７は表表紙である。
【００４５】
図４において、情報記憶媒体収納体の裏シート５５は裏表紙を兼用しており、裏シート５５は背表紙５６を介して表表紙５７と連接している。本実施の形態には図示していないが、表表紙５７に更に冊子体を貼着して本の形態としても良く、その冊子体の綴じ形式は中綴じ、無線綴じ等の公知の綴じ形式を採用して良い。本実施の形態はパンフレット状としたが、このパンフレット状の情報記憶媒体の大きさを音楽ＣＤのプラスチックケースと略同等とすればパッケージとなることは言うまでも無い。また、本実施の形態では背表紙５６を設けてあるが必要に応じて省略しても良い。更に、本実施の形態では裏シート５５を裏表紙としたが、表シートを裏表紙としても良い。
【００４６】
図５は、本願発明の情報記憶媒体収納体の綴り体を示す概略図である。
図５において、６１は情報記憶媒体収納体、６２は切断線、６３は背表紙、６４は裏表紙、６５は表表紙、６６は本文である。
【００４７】
図５において、裏表紙６４は背表紙６３を介して表表紙６５と連接されており、情報記憶媒体収納体６１は切断線６２を介して背表紙６３と接着され、本文６６も背表紙６３と接着されている。この場合、情報記憶媒体収納体６１に収納された冊子体は本文とは別の袋綴じ本として購買対象者に提示されることとなり、その中身への興味を喚起しつつ非購入者には中身が見れないことで、購買意欲を向上させている。図５に示した綴り体の製本形式は無線綴じ形式であるが、本願発明はこれに限定されず、他の製本形式を採用しても良い。本実施の形態の綴り体は週刊誌、月刊誌、書籍であるが、その大きさを音楽ＣＤのプラスチックケースと略同等とすればパッケージとなることは言うまでも無い。
【００４８】
【発明の効果】
本願発明の請求項１によれば、情報記憶媒体収納体自体に冊子体を収納した冊子体収納部を設けているため、情報記憶媒体を情報記憶媒体収納部に収納する作業と同時に、冊子体を冊子体収納部に収納することができ、作業工程が増加することは無くコスト増加要因は材料費だけとなるため、コストの向上を最低限度とすることが可能であるという作用効果を奏する。また、情報記憶媒体収納体自体に冊子体を収納した冊子体収納部を設けているため、外観の美観を向上させることが可能であるという作用効果を奏する。更に、情報記憶媒体収納体自体に冊子体を収納した冊子体収納部を設けているため、情報記憶媒体収納体の厚みは均一であり、輸送安定性を向上させることが可能であるという作用効果を奏する。
【００４９】
特に、請求項１では、情報記憶媒体収納部を有する情報記憶媒体収納板と、冊子体収納部を有する冊子体収納板とを独立させているため、情報記憶媒体収納部は情報記憶媒体に適切な大きさ、冊子体収納部は冊子体に適切な大きさとすることができ、余分なスペースによる冊子体の変形を防止することが可能となるという作用効果を奏する。つまり、情報記憶媒体と冊子体を一つの収納部に収納する形態を採用した場合、その収納部の厚みは情報記憶媒体と冊子体の厚みを合わせた厚みとなるが、情報記憶媒体と冊子体の大きさが異なる場合、余分なスペースが発生してしまう。そして、往々にして冊子体の大きさが情報記憶媒体より大きいため、余分なスペースに該当する冊子体の部分が広がり、時として湿気を含むことで、しわが発生するなどの外観不良が発生するという課題があり、請求項１の形態ではこの課題を解決することが可能となる。更に、情報記憶媒体収納板と積層される表シート又は裏シートには、情報記憶媒体取出用切込線が設けられているので、該情報記憶媒体取出用切込線に沿って表シート又は裏シートを切断又は破断するこによって、該表シート又は裏シート側より情報記憶媒体を取り出すことが可能であると共に、冊子体収納板と積層される表シート又は裏シートには、冊子体取出用切込線が設けられているので、該冊子体取出用切込線に沿って表シート又は裏シートを切断又は破断することによって、該表シート又は裏シート側より冊子体を取り出すことが可能であるという作用効果を奏する。
【００５０】
また、本願発明の請求項２によれば、冊子体収納板と積層される表シート又は裏シートに設けられる冊子体取出用切込線が、情報記憶媒体収納体の下辺側にだけは設けられていないので、冊子体収納部に収納された冊子体が重力により下側に寄ることを利用し、冊子体取出用切込線をカッター等刃物で切断しても冊子体が傷つくことを防止することが可能であるという作用効果を奏する。
【００５１】
また、本願発明の請求項３によれば、情報記憶媒体収納体自体に冊子体を収納した冊子体収納部を設けているため、情報記憶媒体を情報記憶媒体収納部に収納する作業と同時に、冊子体を冊子体収納部に収納することができ、作業工程が増加することは無くコスト増加要因は材料費だけとなるため、コストの向上を最低限度とすることが可能であるという作用効果を奏する。また、情報記憶媒体収納体自体に冊子体を収納した冊子体収納部を設けているため、外観の美観を向上させることが可能であるという作用効果を奏する。更に、情報記憶媒体収納体自体に冊子体を収納した冊子体収納部を設けているため、情報記憶媒体収納体の厚みは均一であり、輸送安定性を向上させることが可能であるという作用効果を奏する。
【００５２】
特に、請求項３では、情報記憶媒体収納部を有する情報記憶媒体収納板と、冊子体収納部を有する冊子体収納板とを独立させているため、情報記憶媒体収納部は情報記憶媒体に適切な大きさ、冊子体収納部は冊子体に適切な大きさとすることができ、余分なスペースによる冊子体の変形を防止することが可能となるという作用効果を奏する。つまり、請求項１に包含される形態である情報記憶媒体と冊子体を一つの収納部に収納する形態を採用した場合、その収納部の厚みは情報記憶媒体と冊子体の厚みを合わせた厚みとなるが、情報記憶媒体と冊子体の大きさが異なる場合、余分なスペースが発生してしまう。そして、往々にして冊子体の大きさが情報記憶媒体より大きいため、余分なスペースに該当する冊子体の部分が広がり、時として湿気を含むことで、しわが発生するなどの外観不良が発生するという課題があり、請求項３の形態ではこの課題を解決することが可能となるという作用効果を奏する。
【００５３】
また、本願発明の請求項４によれば、週刊誌、月刊誌、書籍等の綴り体において、情報記憶媒体収納体に収納された冊子体は、袋綴じ本としての機能を有し、その中身に対する興味を喚起することで、使用者の購買意欲を向上させることが可能であるという作用効果を奏する。
【図面の簡単な説明】
【図１】図１は本願発明の情報記憶媒体収納体を示す概略図である。
【図２】図２は図１の線分Ａ-Ａによる情報記憶媒体収納体の断面図である。
【図３】図３は図１の線分Ａ-Ａによる情報記憶媒体収納体の断面図である。
【図４】図４は本願発明のパンフレット状の情報記憶媒体収納体を示す概略図である。
【図５】図５は本願発明の情報記憶媒体収納体の綴り体を示す概略図である。
【符号の説明】
１…情報記憶媒体収納体、２…表シート、３…情報記憶媒体収納板、４…冊子体収納板、５…裏シート、６…情報記憶媒体を収納した情報記憶媒体収納袋、７…冊子体、８…情報記憶媒体用開口部、９…情報記憶媒体取出用切込線、１０…切断線、１１…情報記憶媒体、１２…収納袋、１３…情報記憶媒体収納部、１４…情報記憶媒体収納部内枠線部、１５…切断線、１６…冊子体収納部、１７…冊子体収納部内枠線部、１８…切断線、１９…冊子体用開口部、２０…冊子体取出用切込線、３１…情報記憶媒体収納体、３２…表シート、３３…情報記憶媒体収納板、３４…冊子体収納板、３５…裏シート、３６…情報記憶媒体を収納した情報記憶媒体収納袋、３７…冊子体、３８…情報記憶媒体用開口部、３９…情報記憶媒体取出用切込線、４１…情報記憶媒体、４２…収納袋、４３…情報記憶媒体収納部、４４…情報記憶媒体収納部内枠線部、４６…冊子体収納部、４７…冊子体収納部内枠線部、４９…冊子体用開口部、５０…冊子体取出用切込線、５１…情報記憶媒体収納部４３の凸突起部分、５２…冊子体取出用切込線、５３…張出部分、５４…情報記憶媒体収納体、５５…裏シート、５６…背表紙、５７…表表紙、６１…情報記憶媒体収納体、６２…切断線、６３…背表紙、６４…裏表紙、６５…表表紙、６６…本文
【図１】
0003923387.tif 000002
【図２】
0003923387.tif 000003
【図３】
0003923387.tif 000004
【図４】
0003923387.tif 000005
【図５】
0003923387.tif 000006